(57)【特許請求の範囲】
【請求項１】
スタンドと、同スタンド上に水平方向に回動自在に支持されたベースを備え、前面に吸込口を、上面に吐出口を夫々備え、これら吸込口および吐出口を結ぶ空気通路に、空気清浄用のフィルタや、送風ファンおよびファンモータからなる送風機等を備えた空気清浄機本体とからなり、
前記スタンド上に、中心に軸受部を備えた支持板を載置し、前記ベースの上部を構成するボトムパネルの下部に、前記支持板との間に所定の間隙を在して前記軸受部により回動自在に支持される回動支軸を備え駆動モータに連係されて往復動する回動板を重設し、前記支持板上に、前記回動板を回動自在に支持する複数のローラを設けてなることを特徴とする空気清浄機。
【請求項２】
前記複数のローラが複数の回転体からなり、前記支持板上に、前記複数の回転体の下部を夫々回動自在に収容する第一凹陥部を設けてなることを特徴とする請求項１に記載の空気清浄機。
【請求項３】
前記複数のローラが、複数の回転体と、同回転体の下部を夫々回動自在に支持する支持部を備えた複数の支持体とからなり、前記支持板上に、前記複数の支持体を夫々収容する第二凹陥部を設けてなることを特徴とする請求項１に記載の空気清浄機。
【請求項４】
前記複数の回転体が複数の車輪からなることを特徴とする請求項２または請求項３に記載の空気清浄機。
【請求項５】
前記車輪または前記支持部を備えた支持体が、自己潤滑性を有する合成樹脂からなることを特徴とする請求項３または請求項４に記載の空気清浄機。
【請求項６】
前記車輪の両側に回転軸を突設し、前記支持体に、前記回転軸を軸支する支軸部を設けるとともに、前記支持部を拡張して前記車輪との間に隙間を形成してなることを特徴とする請求項３乃至請求項５の何れかに記載の空気清浄機。
【請求項７】
前記複数の回転体が、複数のボールベアリングからなり、前記第一凹陥部または前記支持体の支持部が、前記複数のボールベアリングの下半球に対応して半球面状に形成されてなることを特徴とする請求項２または請求項３に記載の空気清浄機。
【請求項８】
前記ボールベアリングを支持する支持部を備えた前記支持体が、自己潤滑性を有する合成樹脂からなることを特徴とする請求項７に記載の空気清浄機。
【請求項９】
前記スタンドは、その底面が開放されて底蓋により開閉自在にカバーされるように構成され、前記底蓋を取り外すことにより、前記ファンモータおよび前記駆動モータ用の電源基板に連なるフェライトコアおよびヒューズを内部に着脱自在に取り付けるようにしてなることを特徴とする請求項１に記載の空気清浄機。
【請求項１０】
前記パネルの背面に把手部を設ける一方、前記スタンドの前面側下部の周縁を断面円弧状に形成してなることを特徴とする請求項１または請求項９に記載の空気清浄機。
【請求項１１】
前記スタンドは、前記ベースを水平方向に回動した際、同ベースや前記パネルなどの一部が周縁部から外側に突出しないように形成されてなることを特徴とする請求項１、請求項９または請求項１０に記載の空気清浄機。
【発明の詳細な説明】
【０００１】
【発明の属する技術分野】
本発明は、縦長タイプの空気清浄機に係わり、より詳細には、本体を背の高い縦型でなるタワースタイルに構成し、スタンド上に水平方向にガタ付きなく円滑に回動できるように支持して、清浄空気を遠くまで、且つ広範囲にわたって送り届かせることができるようにした構造に関する。
【０００２】
【従来の技術】
床置きする設置手段を有した従来の空気清浄機としては、例えば特開平６ー１９８１１４号公報および特開２０００ー１２１１１１号公報などに記載されている事例が周知であった。
【０００３】
しかしながら、上記の各公報に記載された空気清浄機は、同空気清浄機本体を背の高い縦型でなるタワースタイルに構成することにより、上面に設けた吐出口から吐き出される清浄空気を遠くまで飛ばせるようにし、また、前記本体をスタンド上に水平方向にガタ付きなく円滑に回動できるように支持して、床面上に設置した状態で部屋の隅々に効率よく送り届かせるようにした構成ではないことから、とくに広い部屋や平面略Ｌ字状の部屋などに設置して使用する際、部屋の隅々まで良好な空気清浄を効率よく行って快適な居住空間を提供する上で不充分であった。
【０００４】
【発明が解決しようとする課題】
本発明においては、上記の問題点に鑑み、本体を背の高い縦型でなるタワースタイルに構成し、スタンド上に水平方向にガタ付きなく円滑に回動できるように支持して、清浄空気を遠くまで、且つ広範囲にわたって送り届かせることができるようにした縦長タイプの空気清浄機を提供することを目的とする。
【０００５】
【課題を解決するための手段】
本発明は、上記課題を解決するため、スタンドと、同スタンド上に水平方向に回動自在に支持されたベースを備え、前面に吸込口を、上面に吐出口を夫々備え、これら吸込口および吐出口を結ぶ空気通路に、空気清浄用のフィルタや、送風ファンおよびファンモータからなる送風機等を備えた空気清浄機本体とからなり、
前記スタンド上に、中心に軸受部を備えた支持板を載置し、前記ベースの上部を構成するボトムパネルの下部に、前記支持板との間に所定の間隙を在して前記軸受部により回動自在に支持される回動支軸を備え駆動モータに連係されて往復動する回動板を重設し、前記支持板上に、前記回動板を回動自在に支持する複数のローラを設けた構成となっている。
【０００６】
また、前記複数のローラが複数の回転体からなり、前記支持板上に、前記複数の回転体の下部を夫々回動自在に収容する第一凹陥部を設けた構成となっている。
【０００７】
また、前記複数のローラが、複数の回転体と、同回転体の下部を夫々回動自在に支持する支持部を備えた複数の支持体とからなり、前記支持板上に、前記複数の支持体を夫々収容する第二凹陥部を設けた構成となっている。
【０００８】
また、前記複数の回転体が複数の車輪からなる構成となっている。
【０００９】
また、前記車輪または前記支持部を備えた支持体が、自己潤滑性を有する合成樹脂からなる構成となっている。
【００１０】
また、前記車輪の両側に回転軸を突設し、前記支持体に、前記回転軸を軸支する支軸部を設けるとともに、前記支持部を拡張して前記車輪との間に隙間を形成した構成となっている。
【００１１】
また、前記複数の回転体が、複数のボールベアリングからなり、前記第一凹陥部または前記支持体の支持部が、前記複数のボールベアリングの下半球に対応して半球面状に形成された構成となっている。
【００１２】
また、前記ボールベアリングを支持する支持部を備えた前記支持体が、自己潤滑性を有する合成樹脂からなる構成となっている。
【００１３】
また、前記スタンドは、その底面が開放されて底蓋により開閉自在にカバーされるように構成され、前記底蓋を取り外すことにより、前記ファンモータおよび前記駆動モータ用の電源基板に連なるフェライトコアおよびヒューズを内部に着脱自在に取り付けるようにした構成となっている。
【００１４】
また、前記パネルの背面に把手部を設ける一方、前記スタンドの前面側下部の周縁を断面円弧状に形成した構成となっている。
【００１５】
更に、前記スタンドは、前記ベースを水平方向に回動した際、同ベースや前記パネルなどの一部が周縁部から外側に突出しないように形成された構成となっている。
【００１６】
【発明の実施の形態】
以下、本発明の実施の形態を図面に基づいた実施例として詳細に説明する。
図１は本発明による空気清浄機の斜視図であり、図２は縦断面図であり、図３は横断面図であり、図４は要部説明図で、（Ａ）は縦断面図、（Ｂ）乃至（Ｅ）は（Ａ）で示すＤ部の拡大図であり、図５は要部平面図であり、図６は要部説明図で、（Ａ）は支持板とローラと回転板とを示す分解斜視図、（Ｂ）は支持板と回動板とを示す分解斜視図であり、図７はスタンドの説明図で、（Ａ）は底面側から見た矢視図、（Ｂ）は（Ａ）で示すＣ部のＡーＡ断面図、（Ｃ）は（Ａ）で示すＢーＢ断面図であり、図８はフェライトコアの取付状態を示す要部説明図で、（Ａ）はスタンドの一部を底面側から見た矢視図、（Ｂ）は分解斜視図である。
【００１７】
図において、１は床面上に設置されるスタンド、２は同スタンド１上に水平方向に回動自在に支持されたベース、４は同ベース２の上部を構成するボトムパネル26の略中央部に立設され、略中央に空気吸込孔３を備えた横幅よりも高さ寸法を大きく形成してなるセンターパネル、５は同センターパネル４の背面側に取り付けられ、前記空気吸込孔３から吸入した空気を上方に導く格子状の保護網22を上部に備えたファンケーシング、７は同ファンケーシング５の背面側に設けられ、防振部材7aを介装してモータホルダ7bで支持されたファンモータ、６は同ファンケーシング５内に設けられた前記ファンモータ７により駆動される送風ファンで、これら送風ファン６とファンモータ７とで送風機が構成されている。
【００１８】
８は前記ファンケーシング５および前記ファンモータ７の下部に設けられ、電源基板8aおよびインバータ基板8b等を備えた電装部、９は前記ファンケーシング５および前記ファンモータ７を覆うように膨出部9aを備えて前記センターパネル４に取り付けられ、前部および上下部を開放してねじ締めされることにより前記センターパネル４の後部に取り付けられるリヤーパネル、10は前記センターパネル４の前面側に所定の隙間を置いて対向させた通気孔を有する支持部10b と、同支持部10b の上下端に連結され後方に延びて前記センターパネル４に取り付けられた平行な取付部10a とで断面略コ字状に形成されたフィルタ支持体、17は同フィルタ支持体10の支持部10b の前面側に形成されたフィルタ支持部14により支持された触媒フィルタ15および同触媒フィルタ15を挟むように突設された冷陰極管ホルダによって支持される冷陰極管、16はこれら冷陰極管ホルダおよび冷陰極管17の前面側を覆うカバー、19は前記取付部10a 上の前記センターパネル４の前面側上部に取り付けられ、前面に表示部19a を備え上面に操作部19b を備えた操作盤ユニット、21は上面後部に前記ファンケーシング５に連なる吐出口21b を備え、前記操作盤ユニット19の操作部19b 、前記センターパネル４および前記リヤーパネル９の上部に装着されるトップパネルである。
【００１９】
11は脱臭フィルタ、12は集塵フィルタ、13はこれら脱臭フィルタ11および集塵フィルタ12を重ねて収容する枠状のフィルタケースで、同フィルタケース13と、その内部に重ねて収容された前記脱臭フィルタ11および前記集塵フィルタ12とでコンパクトに構成された縦長状のフィルタは、前記センターパネル４および前記フィルタ支持体10の間に形成された所定の隙間に対し横方向から挿脱できるように構成されている。
【００２０】
20は前記操作盤ユニット19の表示部19a に対向する表示窓20a と、吸込口20b とを備え、前記カバー16および前記フィルタ支持体10を覆うように、後部および上下部を開放して前記センターパネル４の前部に係脱自在に係止され、裏面側にプレフィルタ18を装着したフロントパネルで、前記ボトムパネル26を備えた前記ベース２と、前記センターパネル４と、前記リヤーパネル９と、前記トップパネル21と、前記フロントパネル20とで空気清浄機本体Ａが構成されている。
【００２１】
本発明による前記空気清浄機本体Ａは、上記のように構成されたことによって背の高い縦型のデザインになり、とくに吐出口21b から吐き出される清浄空気を遠くまで飛ばすのに好適な構造となって、部屋の隅々にまで充分に清浄空気を送り届かせることができる。
なお、前記吐出口21b には、複数の風向板23を配置し連結ロッド24により連結して効果的に清浄空気流を偏向できるようになっている。
【００２２】
次に、上記に説明した基本構成において、前記空気清浄機本体Ａを背の高い縦型でなるタワースタイルに構成し、前記スタンド１上に水平方向にガタ付きなく円滑に回動できるように支持して、清浄空気を遠くまで、且つ広範囲にわたって送り届かせることができるようにした構造について以下に説明する。
【００２３】
前記スタンド１上に、中心に軸受部25a を備えた支持板25を載置し、前記ベース２の上部を構成するボトムパネルの下部26に、前記支持板25との間に所定の間隙を在して前記軸受部25a により回動自在に支持される回動支軸27a を備え駆動モータ37に連係されて往復動する回動板27を重設し、前記支持板25上に、前記回動板27を回動自在に支持する複数のローラ28を設けた構成となっており、
これによって、前記支持板25上に設けられた前記複数のローラ28が、前記ベース２を構成する前記回動板27に掛かった荷重をバランスよく受けることができるようになり、且つ、同回動板27がガタ付きなく円滑に回動できるように支持されることになる。
【００２４】
そして、第一例として図４（Ａ）と、図４（Ｂ）と、図４（Ｄ）と、図５とで示すように、前記複数のローラ28が、複数の車輪ａまたは複数のボールベアリングｂからなる複数の回転体28a で構成され、前記支持板25上に、前記複数の回転体28a の下部を夫々回動自在に収容する第一凹陥部29を設けた構成となっており、
これによって、前記複数のローラ28が、前記第一凹陥部29で正確に位置決めされるとともに、前記支持板25上で前記回動板27に掛かった荷重をバランスよく受けて、同回動板27がガタ付きなく円滑に回動できるように支持される。
【００２５】
または、第二例として図４（Ａ）と、図４（Ｃ）と、図４（Ｅ）と、図５とで示すように、前記複数のローラ28が、複数の車輪ａまたは複数のボールベアリングｂからなる複数の回転体28a と、例えばポリアセタール樹脂のような自己潤滑性を有する合成樹脂からなり、前記回転体28a の下部を夫々回動自在に支持する支持部を備えた複数の支持体28b とで構成され、前記支持板25上に、前記複数の支持体28b を夫々収容する第二凹陥部30を設けた構成となっており、
これによって、前記複数のローラ28が、前記第二凹陥部30で自己潤滑性を有する合成樹脂を介して、更に円滑に回転できる状態で正確に位置決めされるようになり、前記支持板25上で前記回動板27に掛かった荷重をバランスよく受けて、上記に説明した第一例の場合よりも更に効果的に、前記回動板27がガタ付きなく円滑に回動できるように支持される。
【００２６】
なお、前記複数のローラ28は、前記複数の車輪ａからなる構成にして図５で示すように配置することにより円滑に回転できるようになり、また、図４（Ｃ）で示すように、前記車輪ａの両側に回転軸ｃを突設し、前記支持体28b に、前記回転軸ｃを軸支する支軸部ｄを設けるとともに、前記支持部を拡張して前記車輪ａとの間に隙間ｅを形成することによって、前記車輪ａが更に円滑に回転できるようになり、そして、前記複数のボールベアリングｂからなる構成にすれば前記回動板27を更に軽快に回動できるようになる。
【００２７】
また、前記スタンド１は、その底面が開放されて図４（Ａ）で示す底蓋1aにより開閉自在にカバーされるように構成され、前記底蓋1aを取り外すことにより、図７（Ａ）と、図８（Ａ）および図８（Ｂ）とで示すように、コネクタ付ワイヤ35および電源コード36を介して前記電源基板8aに連なり、収容ケース34に収容されたフェライトコア31と、ヒューズ32とを内部に着脱自在に取り付けるようにした構成となっており、
これによって、前記フェライトコア31および前記ヒューズ32を空気清浄機本体の内部に取り付けた場合に対し、前記底蓋1aを取り外すことによって前記フェライトコア31および前記ヒューズ32に対するメンテナンスができるので作業性がよくなる。
また、前記フェライトコア31を空気清浄機本体の内部に取り付けた場合に対し、前記ベース２を構成する前記回動板27を水平方向に往復動させるための駆動モータ37などからノイズをひろってしまうということがなくなり、同フェライトコア31の効果を充分に生かせるようにした構造となる。
【００２８】
また、図２で示すように、前記パネルの背面側を構成する前記リヤーパネル９に把手部Ｂを設ける一方、図２と、図４（Ａ）と、図７（Ｂ）とで示す前記スタンド１の前面側下部の周縁Ｃを、図７（Ａ）に斜線で示したＣ部を矢印ａの方向にスライドさせるように構成された金型によって断面円弧状に成形した構成となっており、
これによって、前記把手部Ｂに手指を掛けて前記空気清浄機本体Ａを傾斜させた状態で持ち上げたり床面上に設置する際、前記スタンド１の前面側下部の断面円弧状に形成された前記周縁Ｃが床面に当接するようになって、同床面を傷つけてしまうことがないようにした構造となる。
なお、床面上に設置されたあとは、図７（Ｃ）で示すように、前記スタンド１の下部に設けられた複数のゴム足33を床面に当接させている。
【００２９】
更に、前記スタンド１は、前記ベース２を水平方向に回動した際、同ベース２や前記パネルの上面側を構成する前記トップパネル21などの一部が、例えば図３で示した前記スタンド１の周縁部から外側に突出しないように形成された構成となっており、
これによって、前記スタンド１を床面上に設置した際、同スタンド１が占有した床面上に、前記空気清浄機本体Ａが水平方向に往復動するためのスペースを確保することができる。
【００３０】
以上の構成により、図１乃至図５と、図６（Ａ）および図６（Ｂ）と、図７（Ａ）乃至図７（Ｃ）と、図８（Ａ）および図８（Ｂ）とで示すように、前記スタンド１上に、中心に軸受部25a を備えた支持板25を載置し、前記ベース２の上部を構成する前記ボトムパネル26の下部に、前記軸受部25a により回動自在に支持される回動支軸27a を備え、前記支持板25との間に所定の平行な間隙を置いた回動板27を重設し、前記支持板25上に、前記回動板27を回動自在に支持する複数のローラ28を設けたので、同ローラ28によって前記ベース２を構成する前記回動板27をバランスよく支持できるようになり、同回動板27を前記駆動モータ37によりガタ付きなく円滑に往復動できるようになる。
【００３１】
【発明の効果】
以上説明したように、本発明によれば、本体を背の高い縦型でなるタワースタイルに構成し、スタンド上に水平方向にガタ付きなく円滑に回動できるように支持して、清浄空気を遠くまで、且つ広範囲にわたって送り届かせることができるようにした縦長タイプの空気清浄機となる。
【図面の簡単な説明】
【図１】本発明による空気清浄機の斜視図である。
【図２】本発明による空気清浄機の縦断面図である。
【図３】本発明による空気清浄機の横断面図である。
【図４】本発明による空気清浄機の要部説明図で、（Ａ）は縦断面図であり、（Ｂ）乃至（Ｅ）は（Ａ）で示すＤ部の拡大図である。
【図５】本発明による空気清浄機の要部平面図である。
【図６】本発明による空気清浄機の要部説明図で、（Ａ）は支持板とローラと回転板とを示す分解斜視図であり、（Ｂ）は支持板と回動板とを示す分解斜視図である。
【図７】本発明による空気清浄機のスタンドの説明図で、（Ａ）は底面側から見た矢視図であり、（Ｂ）は（Ａ）で示すＣ部のＡーＡ断面図であり、（Ｃ）は（Ａ）で示すＢーＢ断面図である。
【図８】本発明による空気清浄機のフェライトコアの取付状態を示す要部説明図で、（Ａ）はスタンドの一部を底面側から見た矢視図であり、（Ｂ）は分解斜視図である。
【符号の説明】
１  スタンド
1a  底蓋
２  ベース
３  空気吸込孔
４  センターパネル
５  ファンケーシング
６  送風ファン
７  ファンモータ
7a  防振部材
7b  モータホルダ
８  電装部
8a  電源基板
8b  インバータ基板
９  リヤーパネル
9a  膨出部
10  フィルタ支持体
10a 取付部
10b 支持部
11  脱臭フィルタ
12  集塵フィルタ
13  フィルタケース
14  フィルタ支持部
15  触媒フィルタ
16  カバー
17  冷陰極管
18  プレフィルタ
19  操作盤ユニット
19a 表示部
19b 操作部
20  フロントパネル
20a 表示窓
20b 吸込口
21  トップパネル
21a 操作ボタン
21b 吐出口
22  保護網
23  風向板
24  連結ロッド
25  支持板
25a 軸受部
25b 取付孔
26  ボトムパネル
27  回動板
27a 回動支軸
28  ローラ
28a 回転体
28b 支持体
28c 支持部
29  第一凹陥部
30  第二凹陥部
31  フェライトコア
32  ヒューズ
33  ゴム足
34  収容ケース
35  コネクタ付ワイヤ
36  電源コード
37  駆動モータ
Ａ  空気清浄機本体
Ｂ  把手部
Ｃ  周縁
【図１】
0004333024.tif 000002
【図２】
0004333024.tif 000003
【図３】
0004333024.tif 000004
【図４】
0004333024.tif 000005
【図５】
0004333024.tif 000006
【図６】
0004333024.tif 000007
【図７】
0004333024.tif 000008
【図８】
0004333024.tif 000009